(57)【要約】【課題】  異物の衝突等による傷付きや破損を防止でき、装飾性に優れた装飾部材を備える遊技機を得る。【解決手段】  外枠の前面下部に設けられる下飾り２０の表面２０Ａに、合成樹脂からなる装飾シート１３２及び透明な熱可塑性エラストマーからなる弾性シート１３４を備える多層シート１３０を設ける。この多層シート１３０の装飾シート１３２には、印刷等により多彩な色彩で自由なデザインの装飾画１３６を容易に描画して美観及びデザインに優れた装飾を施すことができ、装飾画１３６は装飾シート１３２の表面に設けられた透明な弾性シート１３４を通して視認することができる。下飾り２０に球箱がぶつかった場合等には、装飾シート１３２は弾性シート１３４により保護されて傷付くことが防止される。また、球箱衝突時の衝撃力は弾性シート１３４の弾性力によって吸収されるため下飾り２０の耐破損性が向上する。【選択図】        図５
2006000166.tif 000002
【特許請求の範囲】
【請求項１】
遊技機の外郭を構成する矩形状の外枠と、前記外枠の前面下部に設けられた装飾部材と、を備えた遊技機であって、
前記装飾部材の表面に設けられ、その表面を被覆する装飾画が描画された合成樹脂からなる装飾シートと、
前記装飾シートの表面に設けられ、透明な熱可塑性エラストマーからなる弾性シートと、
を有することを特徴とする遊技機。
【請求項２】
前記装飾シートと前記弾性シートとは相互に貼り合わせられた１枚の多層シートで構成されていることを特徴とする請求項１記載の遊技機。
【請求項３】
遊技機の外郭を構成する矩形状の外枠と、前記外枠の前面下部に設けられた装飾部材と、を備えた遊技機であって、
前記装飾部材の表面に、その表面に接する裏面に装飾画が描画され透明な合成樹脂からなる厚さが１ｍｍ以上とされた単層の装飾シートを設けたことを特徴とする遊技機。
【発明の詳細な説明】
【技術分野】
【０００１】
本発明は、遊技機に係り、詳細には、遊技機の外郭を構成する外枠の前面下部に装飾部材が設けられた遊技機に関する。
【背景技術】
【０００２】
パチンコ機等の遊技機では、遊技機の外郭を構成する外枠の前面下部に、通称「下飾り」等と呼ばれる装飾部材が設けられている。この装飾部材は、一般には合成樹脂製の成形品とされ、樹脂を着色したり成形後に塗装するなどして装飾を施している。また、遊技機部品の装飾に関する技術としては、印刷等で装飾画を描画した合成樹脂製のフィルムをインサート成形によって遊技機部品の表面に設けることにより、上記の樹脂着色や塗装に比べて高い装飾性を得るようにしたものがある（例えば、特許文献１参照）。
【特許文献１】特開２００２−３６０８０９号公報
【発明の開示】
【発明が解決しようとする課題】
【０００３】
しかしながら、上述した合成樹脂製のフィルムによる装飾を外枠の装飾部材に用いる場合、装飾部材の装飾性は高められるが、この装飾部材に、遊技機から払い出された賞球を貯留して重量物となった球箱がぶつかった場合等には、フィルム表面が傷付いて美観が低下し、さらに球箱衝突時の衝撃力が装飾部材に直接的に及ぶため、最悪は破損する恐れがある。この点では、特許文献１の場合でも、上記のような異物の衝突に対する考慮がなされていないことからフィルムは薄くされており、異物衝突時の衝撃力がフィルムによって緩衝されず装飾部材に直接的に作用するため、装飾部材の耐破損性は低い。さらに、フィルムが複数の層で構成されているため製造コストが高くなる問題もある。
【０００４】
本発明は上記事実を考慮して、異物の衝突等による傷付きや破損を防止でき、且つ、装飾性に優れた装飾部材を備える遊技機を提供することを課題とする。また、異物の衝突等による破損を防止でき、且つ、低コストで装飾性に優れた装飾部材を備える遊技機を提供することを課題とする。
【課題を解決するための手段】
【０００５】
上記目的を達成するために請求項１に記載の発明は、遊技機の外郭を構成する矩形状の外枠と、前記外枠の前面下部に設けられた装飾部材と、を備えた遊技機であって、前記装飾部材の表面に設けられ、その表面を被覆する装飾画が描画された合成樹脂からなる装飾シートと、前記装飾シートの表面に設けられ、透明な熱可塑性エラストマーからなる弾性シートと、を有することを特徴としている。
【０００６】
請求項１に記載の発明では、外枠の前面下部に設けられた装飾部材は、その表面が、合成樹脂からなる装飾シート及び装飾シートの表面に設けられた透明な熱可塑性エラストマーからなる弾性シートによって被覆される。
【０００７】
この装飾部材の表面に設ける合成樹脂からなる装飾シートには、印刷等により、多彩な色彩で自由なデザインの装飾画を容易に描画することができるため、例えば装飾部材が合成樹脂製や金属製等の場合に、その装飾部材の表面に直接塗装して装飾を施すよりも、美観及びデザインに優れた装飾を施すことができる。また、装飾シートに描画された装飾画は、装飾シートの表面に設けられた透明な熱可塑性エラストマーからなる弾性シートを通して視認することができる。
【０００８】
また、この装飾部材に、賞球を貯留して重量物となった球箱がぶつかった場合等には、装飾シートは弾性シートにより保護されて傷付くことが防止される。また、この異物衝突時の衝撃力は弾性シートの弾性力によって吸収されるため、装飾部材に及ぶ衝撃力は低減され装飾部材の耐破損性が向上する。
【０００９】
このように、この遊技機における外枠の装飾部材では、異物の衝突等による傷付きや破損を防止でき、且つ、装飾性も向上することができる。
【００１０】
請求項２に記載の発明は、請求項１記載の遊技機において、前記装飾シートと前記弾性シートとは相互に貼り合わせられた１枚の多層シートで構成されていることを特徴としている。
【００１１】
請求項２に記載の発明では、装飾シートと弾性シートとが相互に貼り合わせた１枚の多層シートであれば、例えば装飾部材が成形品とされる場合に、その多層シートを装飾部材の成形時にインサート成形して装飾部材の表面に設けることができる。このように、装飾シート及び弾性シートが一度の工程で装飾部材の表面に設けられるため、製造コストを低減できる。
【００１２】
請求項３に記載の発明は、遊技機の外郭を構成する矩形状の外枠と、前記外枠の前面下部に設けられた装飾部材と、を備えた遊技機であって、前記装飾部材の表面に、その表面に接する裏面に装飾画が描画され透明な合成樹脂からなる厚さが１ｍｍ以上とされた単層の装飾シートを設けたことを特徴としている。
【００１３】
請求項３に記載の発明では、透明な合成樹脂からなる厚さが１ｍｍ以上とされた単層の装飾シートの裏面に装飾画を描画し、この装飾シートの裏面が装飾部材の表面に接するようにして装飾シートを装飾部材の表面に設け、装飾部材の表面を装飾シートによって被覆する。
【００１４】
この装飾部材の裏面に描画する装飾画は、印刷等により、多彩な色彩で自由なデザインの装飾画にできるため、例えば装飾部材の表面に直接塗装して装飾を施すよりも、美観及びデザインに優れた装飾を施すことができる。また、装飾シートの裏面に描画された装飾画は、装飾シートよって保護されるとともに、装飾シートが透明であることにより装飾シートを通して視認することができる。
【００１５】
また、この装飾シートは厚さが１ｍｍ以上とされて高い弾性力を有する。そのため、賞球を貯留して重量物となった球箱が装飾部材にぶつかった場合等には、装飾シートの弾性力によって衝撃力が緩和され、装飾部材の耐破損性が向上する。また、この装飾シートは単層であるため、例えば複数層で構成されるシートやフィルム等に比べて容易に製造することができ、製造コストを抑えることができる。
【００１６】
このように、この遊技機における外枠の装飾部材では、異物の衝突等による破損を防止でき、且つ、低コストにできて装飾性も向上することができる。
【発明の効果】
【００１７】
本発明の遊技機における装飾部材は上記構成としたので、異物の衝突等による傷付きや破損を防止でき、且つ、装飾性も向上することができる。また、異物の衝突等による破損を防止でき、且つ、低コストにできて装飾性も向上することができる。
【発明を実施するための最良の形態】
【００１８】
以下、本発明の実施形態に係るパチンコ機について図面を参照して説明する。
【００１９】
図１には本発明の一実施形態に係るパチンコ機が示され、図２には本実施形態に係るパチンコ機に適用される内枠、ガラス枠、及び遊技盤が示されている。
【００２０】
図１に示されるように、パチンコ機１０は、パチンコ機１０の外郭を構成するとともにパチンコホールの島設備に設置される矩形状の外枠１２を備えている。外枠１２の前面には矩形額縁状の内枠１４が配置されており（図２参照）、内枠１４は、外枠１２に設けられた一対のヒンジ部１６、１８に左側端部が軸支されて開閉可能に取り付けられている。また外枠１２の前面下部には、装飾部材としての下飾り２０が取り付けられている。
【００２１】
内枠１４の前面上部には、ガラス板２２を装着したガラスフレーム２４を窓部２５に備えるガラス枠２６が配置されており、ガラス枠２６は左側端部が内枠１４に軸支されて開閉可能に取り付けられている。また、ガラスフレーム２４に装着されたガラス板２２は、図１の紙面奥行き方向に所定の間隔で互いに平行に配置された一対のガラス板からなる二重構造となっている。このガラス枠２６の裏面側となる内枠１４の上部には、矩形状の開口部２８が設けられている（図２参照）。開口部２８には、交換可能とされた遊技盤１００がセットされており、遊技盤１００は、ガラス枠２６を内枠１４に閉塞した状態でガラス枠２６（ガラス板２２）に覆われるようになっている。
【００２２】
ガラス枠２６の前面には、遊技の進行に応じて点灯又は点滅等し照明による演出効果を生み出す演出用の表示灯１４２がガラス板２２（遊技盤１００の遊技領域１０１）を取り囲むように配置されており、さらに左上隅及び右上隅には、賞球払出エラー及び払出状態エラー等の各種エラーを報知するエラー用の表示灯１４４が配置されている。また、各エラー用の表示灯１４４の内側には、遊技の効果音をステレオ出力するスピーカー１４６Ｌ、１４６Ｒが配設されている。
【００２３】
内枠１４の前面下部には、一般的な上皿及び下皿の機能を兼ね備える打球供給皿としての一体皿３０が配置されている。一体皿３０は、パネル部材３２の左側端部が内枠１４に軸支されて開閉可能に取り付けられており、パネル部材３２の前面には、上部に遊技球を貯える球皿部３４が形成された球皿本体３６が突設されている。
【００２４】
球皿部３４の底面は、正面視にて左側から右側へ下り傾斜しており、その傾斜方向下流側となる左側には、遊技球を１列に整列してパネル部材３２の裏面に配置された球送り装置（図示省略）に送り込むための整列通路が設けられている。パネル部材３２の前面の右側上部には、パチンコ機１０内に設けられた賞球払出装置（図示省略）から払い出された賞球が排出される賞球排出口４６が形成されている。この賞球排出口４６から排出された賞球は球皿部３４に貯留され、球皿部３４内を左方向へ流下し整列通路により１列に整列されて球送り装置に送り込まれる。
【００２５】
また、パネル部材３２の前面における左側下部には灰皿３８が設けられ、右側下部には打球の発射力（飛距離）を調整するための発射ハンドル３９が取り付けられている。
【００２６】
図２に示されるように、内枠１４の前面下部における一体皿３０の裏面側には、遊技盤１００の左下に発射装置４０が配置され、球皿本体３６の後方に位置して、内枠１４に着脱可能に構成された貯球タンク４２が２個のプラスチックファスナー４３によって取り付けられている。これらの発射装置４０及び貯球タンク４２は、一体皿３０を内枠１４に閉塞すると一体皿３０に覆われるようになっている。
【００２７】
貯球タンク４２は、上面が開口した箱型とされ、底面４４が正面視にて左側から右側へ下り傾斜している。底面４４の傾斜方向上流側となる貯球タンク４２の左側面部には図示しないタンク入口が形成され、傾斜方向下流側となる貯球タンク４２の前面右側端部には、一体皿３０のパネル部材３２に設けられた賞球排出口４６と対応する位置にタンク出口４５が形成されている。したがって、一体皿３０を内枠１４に閉塞した状態では、貯球タンク４２と一体皿３０の球皿部３４とが、タンク出口４５及び賞球排出口４６を介して連通される。
【００２８】
また、一体皿３０のパネル部材３２裏面における賞球排出口４６の下方位置と、内枠１４前面の下部右側におけるタンク出口４５の下方位置とには、上下方向に移動可能とされたシャッター板がそれぞれ設けられている（図２では内枠１４側のシャッター板５０のみを図示している）。これらのシャッター板は、一体皿３０が閉塞されると各々下方へ移動して（図２に示したシャッター板５０の位置）、タンク出口４５と賞球排出口４６とを連通させ、一体皿３０が開放されると各々上方へ移動して、内枠１４側のシャッター板５０はタンク出口４５の下縁側を、一体皿３０側のシャッター板は賞球排出口４６の下縁側を塞ぐよう構成されている。このシャッター板により、一体皿３０を開放した際は、貯球タンク４２及び球皿部３４から遊技球（賞球）が流出しないようせき止められる。
【００２９】
内枠１４裏面の左側端部（正面視右側端部）には、上下方向に延出された施錠装置５２が取り付けられている。施錠装置５２の下部にはシリンダー錠（錠前）５４が設けられており、シリンダー錠５４の鍵孔５６は、内枠１４前面の右下部に設けられた台座５５から露出されている。
【００３０】
施錠装置５２の裏面側における上下端部近傍には、後方へ突出された一対の内枠固定用フック６０Ａ、６０Ｂが設けられている。施錠装置５２の前面側におけるガラス枠２６との対応位置には、一対のガラス枠固定用フック６２Ａ、６２Ｂが設けられており、このガラス枠固定用フック６２Ａ、６２Ｂは、内枠１４前面の右側端部に形成されたスリット６４Ａ、６４Ｂを通して前方へ突出されている。また、施錠装置５２の前面側における一体皿３０との対応位置には、上下方向にスライドする一対の一体皿固定用鍵受け部材６６Ａ、６６Ｂが設けられている。
【００３１】
これにより、内枠１４を外枠１２に閉塞すると、施錠装置５２の内枠固定用フック６０Ａ、６０Ｂが外枠１２の正面視右内側面設けられた一対の鍵受け部（図示省略）に係合し、内枠１４は外枠１２に保持される。ガラス枠２６を内枠１４に閉塞すると、ガラス枠２６裏面の右側端部に取り付けられているガラス枠補強板６８に設けられた一対の鍵受け部７０Ａ、７０Ｂが施錠装置５２のガラス枠固定用フック６２Ａ、６２Ｂに係合し、ガラス枠２６は内枠１４に保持される。また、一体皿３０を内枠１４に閉塞すると、一体皿３０裏面の右側端部に取り付けられている一対のフック（図示省略）が施錠装置５２の一体皿固定用鍵受け部材６６Ａ、６６Ｂに係合し、一体皿３０は内枠１４に保持される。
【００３２】
また、内枠固定用フック６０Ａ、６０Ｂ及びガラス枠固定用フック６２Ａ、６２Ｂは、シリンダー錠５４の鍵孔５６に図示しない鍵を差し込んで所定の方向に回すことにより、それぞれ係合状態が解除され解錠されるようになっている。一体皿固定用鍵受け部材６６Ａ、６６Ｂは、ガラス枠２６を開放すると露出される施錠装置５２の解除レバー７２を押し下げることにより、一体皿固定用鍵受け部材６６Ａ、６６Ｂが下方へスライドして一体皿３０の各フックとの係合状態が解除されるようになっている。
【００３３】
この施錠装置５２により、内枠１４は外枠１２に、ガラス枠２６は内枠１４にそれぞれ施錠されるとともに、一体皿３０は内枠１４にロックされて、それぞれ閉塞状態に固定される。
【００３４】
図２に示されるように、遊技盤１００は、装飾画（図示省略）を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４が取り付けられており、これらの外レール１０２、内レール１０４によって囲まれた円形状の領域は、遊技球が移動可能な遊技領域１０１とされている。
【００３５】
遊技領域１０１には、液晶ディスプレイを内蔵した特別図柄表示装置や、入賞口、始動口（スタート・チャッカー）、通過入賞口（スルー・チャッカー）、又、大入賞口（アタッカー）を備えた変動入賞装置（特別電動役物）がそれぞれ所定の位置に配置されると共に、遊技領域１０１内を落下する遊技球を所定の経路に誘導する多数の遊技釘等が設けられており（何れも図示省略）、最下位置にアウト口１２４が配置されている。
【００３６】
次に、本実施形態に係るパチンコ機１０における下飾り２０について説明する。
【００３７】
本実施形態のパチンコ機１０は、外枠１２がアルミダイキャスト製で、下飾り２０がＡＢＳ等の合成樹脂材料による成形品であり、この下飾り２０は、上述したように外枠１２の前面下部に配置され（図１参照）、図３及び図４に示されるように、外枠１２に着脱可能とされている。
【００３８】
図５に示されるように、下飾り２０は正面視が矩形状とされ、前面の中央部には、後側へ少し凹まされた正面視逆台形状の凹状部１２６が設けられている。この下飾り２０の表面２０Ａには、図５（Ｂ）及び（Ｃ）に示されるように、装飾シート１３２と弾性シート１３４とが相互に貼り合わせられて構成された多層シート１３０が設けられている。
【００３９】
多層シート１３０の裏面側に配置されて下飾り２０の表面２０Ａに接する装飾シート１３２は、透明で且つ下飾り２０と同系の合成樹脂材料（ＡＢＳ等）によって形成されており、この装飾シート１３２の裏面には装飾画１３６が描画されている。多層シート１３０の表面側に配置された弾性シート１３４は、透明な熱可塑性エラストマーによって形成されており、この熱可塑性エラストマーとしては、高い弾性を有し、硬質樹脂との熱融着性、耐油性、耐熱性、耐磨耗性に優れたポリエステル系熱可塑性エラストマー（例えば、商品名「プリマロイ（Ａ１７００Ｎ）」：三菱化学社製）等を用いることができる。多層シート１３０は、これらの装飾シート１３２及び弾性シート１３４が接着又は加熱加圧（熱融着）等により貼り合わせられることで構成されており、素材の状態では長尺帯状とされてロール状に巻かれている。
【００４０】
そしてこの多層シート１３０は、素材の状態で装飾シート１３２の裏面に、オフセットグラビア印刷やシルクスクリーン印刷等の印刷方法によって装飾画１３６が描画され、加熱成形により下飾り２０の表面２０Ａを被覆する形状に加工されてから、下飾り２０の成形時にインサート成形されることにより、図５（Ｂ）及び（Ｃ）に示されるように、下飾り２０の表面２０Ａを被覆するように設けられている。
【００４１】
次に、以上説明した本実施形態の作用について説明する。
【００４２】
上述したように、外枠１２の前面下部に設けられた下飾り２０は、その表面２０Ａが、合成樹脂からなる装飾シート１３２及び装飾シート１３２の表面に設けられた透明な熱可塑性エラストマーからなる弾性シート１３４を備える多層シート１３０によって被覆されている。
【００４３】
この下飾り２０の表面２０Ａに設けられた合成樹脂からなる装飾シート１３２には、オフセットグラビア印刷やシルクスクリーン印刷等により、多彩な色彩で自由なデザインの装飾画１３６を容易に描画することができるため、例えば下飾りが合成樹脂製や金属製等の場合に、その下飾りの表面に直接塗装して装飾を施すよりも、美観及びデザインに優れた装飾を施すことができる。また、装飾シート１３２に描画された装飾画１３６は、装飾シート１３２の表面に設けられた透明な熱可塑性エラストマーからなる弾性シート１３４を通して視認することができる。
【００４４】
この下飾り２０に、パチンコ機１０から払い出された賞球を貯留して重量物となった球箱がぶつかった場合等には、装飾シート１３２は弾性シート１３４により保護されて傷付くことが防止される。また、この異物衝突時の衝撃力は弾性シート１３４の弾性力によって吸収されるため、下飾り２０に及ぶ衝撃力は低減され下飾り２０の耐破損性が向上する。
【００４５】
このように、本実施形態のパチンコ機１０における外枠１２の下飾り２０では、異物の衝突等による傷付きや破損を防止でき、且つ、装飾性も向上することができる。
【００４６】
また、本実施形態では、装飾シート１３２と弾性シート１３４とは相互に貼り合わせられた１枚の多層シート１３０で構成されていることにより、上述したように下飾り２０が成形品とされる場合に、多層シート１３０を下飾り２０の成形時にインサート成形して下飾り２０の表面２０Ａに設けることができる。このように、装飾シート１３２及び弾性シート１３４が一度の工程で下飾り２０の表面２０Ａに設けられるため、製造コストを低減できる。
【００４７】
また、多層シート１３０の装飾シート１３２を下飾り２０と同系の合成樹脂材料で形成していることにより、インサート成形による熱融着性が良好となって容易に剥離することなく耐久性が高められる。また、弾性シート１３４を耐磨耗性に優れた熱可塑性エラストマーで形成していることにより、球箱が接触して擦れる場合等の弾性シート１３４の磨耗が抑えられ美観が保たれる。特に、本実施形態の下飾り２０では、前面の中央部に凹状部１２６を設けていることで、球箱が下飾り２０の前面に接触する場合、凹状部１２６には当たりにくくされる。これにより、下飾り２０の前面中央部における傷付きが防止され美観が良好に保たれる。
【００４８】
次に、下飾り２０に設ける装飾シートの変形例について説明する。
【００４９】
この変形例では、図６（Ａ）及び（Ｂ）に示されるように、下飾り２０の表面２０Ａに、透明で且つ下飾り２０と同系の合成樹脂材料（ＡＢＳ等）によって形成された単層の装飾シート１４０が設けられている。
【００５０】
ここでの装飾シート１４０は、厚さｔが１ｍｍとされ、下飾り２０の表面２０Ａに接する裏面には装飾画１４２が描画されている。また、この装飾シート１４０も上述した多層シート１３０と同様に、素材の状態で装飾シート１４０の裏面に、オフセットグラビア印刷やシルクスクリーン印刷等によって装飾画１４２が描画され、加熱成形により下飾り２０の表面２０Ａを被覆する形状に加工されてから、下飾り２０の成形時にインサート成形されることにより、図６（Ａ）及び（Ｂ）に示されるように、下飾り２０の表面２０Ａを被覆するように設けられている。なお、装飾シート１４０の厚さについては、後述する弾力性を考慮して１ｍｍよりも大きくすることが可能である。ただし、加熱成形による加工性を含めて考慮すると、材料の種類や形状にもよるが、装飾シート１４０の厚さは１ｍｍ〜３ｍｍとすることが好ましく、より好ましくは１ｍｍ〜１．５ｍｍである。
【００５１】
以上の構成により、この変形例の場合も、装飾シート１４０の裏面に描画する装飾画１４２は、印刷等により、多彩な色彩で自由なデザインの装飾画にできるため、美観及びデザインに優れた装飾を施すことができる。また、装飾シート１４０の裏面に描画された装飾画１４２は、装飾シート１４０よって保護されるとともに、装飾シート１４０が透明であることにより装飾シート１４０を通して視認することができる。
【００５２】
また、この装飾シート１４０は厚さが１ｍｍとされて高い弾性力を有する。そのため、賞球を貯留して重量物となった球箱が下飾り２０にぶつかった場合等には、装飾シート１４０の弾性力によって衝撃力が緩和され、下飾り２０の耐破損性が向上する。また、この装飾シート１４０は単層であるため、例えば複数層で構成されるシートやフィルム等に比べて容易に製造することができ、製造コストを抑えることができる。
【００５３】
このように、この変形例における外枠１２の下飾り２０では、異物の衝突等による破損を防止でき、且つ、低コストにできて装飾性も向上することができる。
【００５４】
以上、本発明を上述した特定の実施形態により詳細に説明したが、本発明はそれに限定されるものではなく、本発明の範囲内にて他の種々の実施形態が可能である。
【図面の簡単な説明】
【００５５】
【図１】本発明の一実施形態に係るパチンコ機を示す正面図である。
【図２】図１のパチンコ機における内枠、ガラス枠、及び遊技盤を示す正面側から見た斜視図である。
【図３】本発明の一実施形態に係る外枠及び下飾りの組立状態を示す斜視図である。
【図４】本発明の一実施形態に係る外枠及び下飾りの分解状態を示す斜視図である。
【図５】本発明の一実施形態に係る下飾りを示す（Ａ）が正面図、（Ｂ）が（Ａ）の５Ｂ−５Ｂ線断面図、（Ｃ）が（Ｂ）のＣ部の拡大図である。
【図６】本発明の他の実施形態に係る下飾りを示す（Ａ）が側断面図、（Ｂ）が（Ａ）のＢ部の拡大図である。
【符号の説明】
【００５６】
１０        パチンコ機
１２        外枠
２０        下飾り（装飾部材）
１３０        多層シート
１３２        装飾シート
１３４        弾性シート
１３６        装飾画
１４０        装飾シート
１４２        装飾画
【図１】
2006000166.tif 000003
【図２】
2006000166.tif 000004
【図３】
2006000166.tif 000005
【図４】
2006000166.tif 000006
【図５】
2006000166.tif 000007
【図６】
2006000166.tif 000008